(57)【特許請求の範囲】
【請求項１】
モータシャフトの回転角を検出するレゾルバであって、
前記モータシャフトの外周に設けられ前記モータシャフトと一体的に回転するレゾルバロータと、
前記レゾルバロータの外周を囲むように前記レゾルバロータの外周と回転角検出用ギャップを有して設けられる複数のコイルを有するレゾルバステータと、
前記レゾルバロータ及び前記レゾルバステータを収容し、前記コイルの配線を引き出す開口部を前記レゾルバステータの外周側に有するハウジングと、
前記レゾルバステータから前記開口部を介して前記ハウジングの外部まで延設され、前記複数のコイルの配線を集約する配線集約部材と、
前記開口部と前記配線集約部材との隙間をカバーするカバー部材と、
を備え、
前記開口部は、径方向に開口し、
前記カバー部材は、前記配線集約部材とともに周方向に回動するとともに、周方向の長さが前記開口部より長い湾曲した曲面を有し、前記配線集約部の周方向位置にかかわらず前記開口部をカバーすることを特徴とするレゾルバ。
【請求項２】
モータシャフトの回転角を検出するレゾルバであって、
前記モータシャフトの外周に設けられ前記モータシャフトと一体的に回転するレゾルバロータと、
前記レゾルバロータの外周を囲むように前記レゾルバロータの外周と回転角検出用ギャップを有して設けられる複数のコイルを有するレゾルバステータと、
前記レゾルバロータ及び前記レゾルバステータを収容し、前記コイルの配線を引き出す開口部を前記レゾルバステータの外周側に有するハウジングと、
前記レゾルバステータから前記開口部を介して前記ハウジングの外部まで延設され、前記複数のコイルの配線を集約する配線集約部材と、
前記開口部と前記配線集約部材との隙間をカバーするカバー部材と、
を備え、
前記カバー部材は、円弧状に湾曲した曲面を有して前記配線集約部材の外寸と同寸の切り欠きを有するベース部と、前記切り欠きの外縁から前記ベース部の径方向外側へ向けて延設され前記配線集約部材の三方に当接する当接部と、を有する、
ことを特徴とするレゾルバ。
【請求項３】
前記ベース部の周方向寸法は、前記開口部の周方向寸法より大きく、
前記カバー部材は、前記配線集約部材の周方向位置にかかわらず前記開口部をカバーする、
ことを特徴とする請求項２に記載のレゾルバ。
【請求項４】
前記ベース部の軸方向寸法は、前記開口部の軸方向寸法と同寸である、
ことを特徴とする請求項２又は請求項３に記載のレゾルバ。
【請求項５】
請求項１から４のいずれか一項に記載のレゾルバを備えるモータ。
【発明の詳細な説明】
【技術分野】
【０００１】
本発明は、モータの回転角を検出するレゾルバに関する。
【背景技術】
【０００２】
モータの回転角を検出する回転角検出センサとしてのレゾルバを、モータハウジングの開口部に固設されるフランジカバー内に設けることが従来から行われている。
【０００３】
レゾルバは、モータシャフトに取り付けられるレゾルバロータと、レゾルバロータの外周を取り囲むようにフランジカバー内に取り付けられるレゾルバステータと、を備える。
【０００４】
レゾルバステータは、内方へ向けて突設される複数のティースを有し、このティースに巻回されたコイルが励磁コイル及び検出コイルとして用いられる。これらのコイルの巻線端末は、レゾルバステータの外周側に設けられる配線集約部材に集約され、外部へと配線が引き出される（特許文献１）。
【先行技術文献】
【特許文献】
【０００５】
【特許文献１】特開２００１−３３０４７２号公報
【発明の概要】
【発明が解決しようとする課題】
【０００６】
このようなレゾルバでは、レゾルバロータの回転によるレゾルバロータとレゾルバステータとのギャップパーミアンスの変動に基づいてモータシャフトの回転角度を検出している。
【０００７】
したがって、角度検出精度を向上させるためには、レゾルバロータ及びレゾルバステータの機械的取り付け誤差を低減させる必要がある。そこで、レゾルバをモータハウジングのフランジカバーに装着した後、配線集約部材をレゾルバの周方向に首振りさせることで、レゾルバの組み立て時に生じるズレを解消している。
【０００８】
フランジカバーは、上述のように配線集約部材をカバー内から外方へと延設させる開口部を有する。開口部は、配線集約部材の首振りを可能とするため、周方向寸法が配線集約部材の周方向寸法より大きく設定される。
【０００９】
よって、配線集約部材と開口部との隙間が生じるため、当該隙間からチリや埃等の異物がフランジカバー内へと侵入する可能性がある。
【００１０】
本発明は、このような技術的課題に鑑みてなされたものであり、配線集約部材の周囲から異物が侵入することを防止可能なレゾルバを提供することを目的とする。
【課題を解決するための手段】
【００１１】
本発明は、モータシャフトの回転角を検出するレゾルバであって、モータシャフトの外周に設けられモータシャフトと一体的に回転するレゾルバロータと、レゾルバロータの外周を囲むようにレゾルバロータの外周と回転角検出用ギャップを有して設けられる複数のコイルを有するレゾルバステータと、レゾルバロータ及びレゾルバステータを収容し、コイルの配線を引き出す開口部を前記レゾルバステータの外周側に有するハウジングと、レゾルバステータから開口部を介してハウジングの外部まで延設され、複数のコイルの配線を集約する配線集約部材と、開口部と配線集約部材との隙間をカバーするカバー部材と、を備え、開口部は径方向に開口し、カバー部材は、配線集約部材とともに周方向に回動するとともに、周方向の長さが開口部より長い湾曲した曲面を有し、配線集約部の周方向位置にかかわらず開口部をカバーすることを特徴とする。
【発明の効果】
【００１２】
本発明によれば、ステータの開口部と配線集約部材との隙間をカバーするカバー部材を備えるので、配線集約部材の周囲からハウジング内に異物が侵入することを防止することができる。
【図面の簡単な説明】
【００１３】
【図１】本実施形態におけるレゾルバを搭載したモータユニットを示す図である。
【図２】図１のモータユニットをレゾルバ側の軸方向から見た図である。
【図３Ａ】カバー部材を示す斜視図である。
【図３Ｂ】図３Ａのカバー部材をＡ方向から見た図である。
【図３Ｃ】図３Ａのカバー部材をＢ方向から見た図である。
【発明を実施するための形態】
【００１４】
以下、添付図面を参照しながら本発明の実施形態について説明する。
【００１５】
図１は、本実施形態におけるレゾルバ２１を搭載したモータユニット１００を示す図である。モータユニット１００は、内部に図示しないモータを収容するモータハウジング１０と、モータハウジング１０の一端側の開口部１１に装着され内部にレゾルバ２１を収容するフランジカバー２０と、モータハウジング１０及びフランジカバー２０の中央を貫通する直線上に延設されるモータシャフト３０と、を備える。
【００１６】
モータハウジング１０とフランジカバー２０とは、それぞれの拡径部１０ａ、２０ａ同士を対向させた状態で拡径部１０ａ、２０ａをモータシャフト３０の軸方向にボルト締結することで一体化される。フランジカバー２０のモータハウジング１０とは反対側には、中央にモータシャフト３０を挿通する孔を有するエンドカバー３１が装着される。
【００１７】
図示しないモータは、モータシャフト３０の外周に設けられるロータと、モータハウジング１０の内周に設けられロータの外周を取り囲むように設けられるステータと、を備える。
【００１８】
図２は、図１のモータユニット１００をレゾルバ２１側の軸方向から見た図である。なお、図２では、レゾルバ２１の構成を可視化するためエンドカバー３１を外している。
【００１９】
レゾルバ２１は、モータシャフト３０の外周に設けられるレゾルバロータ２２と、フランジカバー２０の内周に設けられ、レゾルバロータ２２の外周を取り囲むように設けられるレゾルバステータ２３と、を備える。レゾルバロータ２２の外周とレゾルバステータ２３の内周とは、所定の回転角検出用ギャップ２４を有している。
【００２０】
レゾルバロータ２２は、円弧状の複数の膨出部２２ａが外周に均等に配置された非円形状に形成される。円弧状の各膨出部２２ａは、レゾルバステータ２３との間に所定の回転角検出用ギャップ２４を保っている。
【００２１】
レゾルバステータ２３は、円環状に形成され、周方向にわたって内周側に突き出た図示しない複数のティースを有する。各ティースには銅線が巻回されてコイル２５が形成される。これらのコイル２５のうち、一部は励磁コイルとして機能し、その他のコイル２５は検出コイルとして機能する。
【００２２】
つまり、レゾルバロータ２２の回転によって、レゾルバロータ２２の外周とレゾルバステータ２３の内周とのギャップ２４が変化することで、ギャップパーミアンスが変動し、この変動に基づいてレゾルバロータ２２、すなわちモータシャフト３０の回転角を検出することができる。
【００２３】
フランジカバー２０の内部には、フランジカバー２０の底面２０ｂから軸方向に隆起した隆起部２０ｃが円弧状に形成される。隆起部２０ｃは、図１に示すように、エンドカバー３１が取り付けられることで、フランジカバー２０の底面２０ｂとエンドカバー３１との間にレゾルバ収容空間を画成する。
【００２４】
フランジカバー２０の隆起部２０ｃが周方向に途切れる位置（図２の右端）には、レゾルバ収容空間と外部とを連通する開口部２６が設けられる。開口部２６は矩形であり、図１に示すように、モータシャフト３０の軸方向にはフランジカバー２０からエンドカバー３１までにわたって開口し、図２に示すように、モータシャフト３０の周方向には隆起部２０ｃが途切れる部分の一端２０ｄから他端２０ｅまでにわたって開口している。
【００２５】
フランジカバー２０の底面２０ｂであってレゾルバステータ２３の外周側（図２の下方側）には、２つの突起部２７が設けられる。レゾルバステータ２３は、隆起部２０ｃの内周面と突起部２７の内周面との間に嵌め込まれることで、径方向に位置決めされる。
【００２６】
レゾルバステータ２３は、さらに、円環状のレゾルバステータ２３から外周へ向けて延設された２つの延設部２８を有する。この延設部２８にはボルトを挿通するボルト挿通孔２８ａが設けられており、延設部２８の軸方向手前側からフランジカバー２０の底面２０ｂに設けられるボルト締結穴２９へボルトを挿通させ、締結することでレゾルバステータ２３を周方向の所望の位置に固定することができる。
【００２７】
レゾルバ２１は、さらに、レゾルバステータ２３の開口部２６側の端部から開口部２６を通して開口部２６の外側までにわたってモータシャフト３０の径方向に延設される配線集約部材４１と、配線集約部材４１と開口部２６との隙間をカバーするカバー部材４２と、を備える。
【００２８】
配線集約部材４１は、図１に示すように、開口部２６より一回り小さい矩形であり、レゾルバステータ２３の各コイル２５の巻線端末を集約してフランジカバー２０の外部へと導出させる。配線集約部材４１の外側端面には、巻線端末を結線した複数のハーネスを引き出すためのハーネス導出孔４３が設けられる。
【００２９】
レゾルバ２１の角度検出精度を向上させるためには、レゾルバロータ２２及びレゾルバステータ２３の機械的取り付け誤差を低減させる必要がある。そこで、レゾルバ２１をフランジカバー２０に装着した後、配線集約部材４１をレゾルバ２１の周方向に首振りさせ、レゾルバ２１の組み立て時に生じるズレを解消できる適切な位置でレゾルバステータ２３を固定する必要がある。そのため、配線集約部材４１と開口部２６との間には、前述のように隙間が存在する。しかし、当該隙間によってチリや埃等の異物がフランジカバー２０内へと侵入する可能性がある。
【００３０】
そこで、本実施形態では、配線集約部材４１の周囲をカバーするカバー部材４２を設けている。以下、カバー部材４２について説明する。
【００３１】
図３Ａは、カバー部材４２を示す斜視図である。図３Ｂは、図３Ａのカバー部材４２をＡ方向から見た図である。図３Ｃは、図３Ａのカバー部材４２をＢ方向から見た図である。
【００３２】
カバー部材４２は、円弧状に湾曲した曲面を有し、配線集約部材４１の外寸とほぼ同寸の切り欠き４４を有するベース部４５と、ベース部４５の切り欠き４４の外縁からベース部４５の径方向外側へ向けて延設され、配線集約部材４１の三方に当接する当接部４６と、から構成される。
【００３３】
ベース部４５の周方向の長さは、図２に示すように、フランジカバー２０の隆起部２０ｃが途切れる部分より長く、つまり開口部２６の周方向長さ（２０ｄ〜２０ｅ間寸法）より長く設定される。これにより、ベース部４５の周方向両端部の外周面が、隆起部２０ｃの両端部２０ｄ、２０ｅの内周面に、それぞれ当接する。
【００３４】
また、ベース部４５の軸方向の幅は、図１及び図３Ｃに示すように、フランジカバー２０の底面２０ｂとエンドカバー３１との間の寸法とほぼ同一に設定される。これにより、ベース部４５の軸方向（図３Ｃの左右方向）の両端面が、フランジカバー２０の底面２０ｂとエンドカバー３１の内面に、それぞれ当接する。
【００３５】
カバー部材４２は、このように構成され、フランジカバー２０にレゾルバロータ２２及びレゾルバステータ２３を装着した後、ベース部４５が隆起部２０ｃの内周側に当接し、さらに当接部４６が配線集約部材４１の側面三方に当接するように、エンドカバー３１側から装着される。その後、エンドカバー３１を装着することでレゾルバ２１はフランジカバー２０内に収容されることになる。
【００３６】
以上のように、配線集約部材４１のモータ側はフランジカバー２０の底面２０ｂに当接しているので、異物の侵入を防止することができる。また、配線集約部材４１の残りの三方は、カバー部材４２によってカバーされるので、配線集約部材４１の調整時の首振り後の位置にかかわらず、異物の侵入を防止することができる。
【００３７】
以上の実施形態によれば、以下に示す効果を奏する。
【００３８】
本実施形態におけるレゾルバ２１は、フランジカバー２０の開口部２６と配線集約部材４１との隙間をカバーするカバー部材４２を備えるので、開口部２６と配線集約部材４１との隙間からチリや埃等の異物が侵入することを防止することができる。
【００３９】
さらに、カバー部材４２は、円弧状に湾曲した曲面を有し、配線集約部材４１の外寸とほぼ同寸の切り欠き４４を有するベース部４５と、ベース部４５の切り欠き４４の外縁からベース部４５の径方向外側へ向けて延設され、配線集約部材４１の三方に当接する当接部４６と、を有する。よって、配線集約部材４１と開口部２６との間の隙間をベース部４５によってカバーするとともに、カバー部材４２と配線集約部材４１との間を当接部４６によって密着させることで、異物が侵入することをより確実に防止できる。
【００４０】
さらに、カバー部材４２のベース部４５の周方向の長さは、開口部２６の周方向長さより長く設定され、カバー部材４２が配線集約部材４１の周方向位置にかかわらず開口部２６をカバーするので、配線集約部材４１の調整時の首振り後の位置にかかわらず、開口部２６と配線集約部材４１との隙間から異物が侵入することを防止することができる。
【００４１】
さらに、カバー部材４２のベース部４５の軸方向の幅は、フランジカバー２０の底面２０ｂとエンドカバー３１との間の寸法とほぼ同一に設定され、配線集約部材４１の三方に当接するので、開口部２６を軸方向にわたってカバーすることができる。よって、より確実に開口部２６と配線集約部材４１との隙間から異物が侵入することを防止することができる。
【００４２】
以上、本発明の実施形態について説明したが、上記実施形態は本発明の適用例の一つを示したに過ぎず、本発明の技術的範囲を上記実施形態の具体的構成に限定する趣旨ではない。
【００４３】
例えば、本実施形態では、可変リラクタンス（ＶＲ）型レゾルバ２１を例に挙げて説明したが、その他のタイプのレゾルバであってもよい。
【符号の説明】
【００４４】
２０  フランジカバー（ハウジング）
２１  レゾルバ
２２  レゾルバロータ
２３  レゾルバステータ
２４  回転角検出用ギャップ
２５  コイル
２６  開口部
３０  モータシャフト
４１  配線集約部材
４２  カバー部材
【図１】
0005912771.tif 000002
【図２】
0005912771.tif 000003
【図３Ａ】
0005912771.tif 000004
【図３Ｂ】
0005912771.tif 000005
【図３Ｃ】
0005912771.tif 000006